(57)【要約】【課題】面倒な準備作業を行うこと無く、しかも、印刷された修正対象文字列が、既存印刷情報の修正個所に正確に収まる修正シートを、１回の印刷で作成する。【解決手段】印刷物の既存印刷情報が撮像された画像を表示する表示手段と、既存印刷情報を修正領域で修正する修正情報を入力する入力手段と、既存印刷情報が撮像された画像と、既存印刷情報が撮像された際の撮像情報と、に基づいて、既存印刷情報の修正領域の実寸法を導出するともに、入力手段から入力された修正情報を修正領域の実寸法に合うように処理して被印刷媒体に印刷する制御印刷手段と、を備える修正シートの作成装置。【選択図】図５
2015060540.tif 000002
【特許請求の範囲】
【請求項１】
印刷物の既存印刷情報が撮像された画像を表示する表示手段と、
前記既存印刷情報を修正領域で修正する修正情報を入力する入力手段と、
前記既存印刷情報が撮像された前記画像と、前記既存印刷情報が撮像された際の撮像情報と、に基づいて、前記既存印刷情報の前記修正領域の実寸法を導出するともに、前記入力手段から入力された前記修正情報を前記修正領域の実寸法に合うように処理して被印刷媒体に印刷する制御印刷手段と、
を備える、
ことを特徴とする修正シートの作成装置。
【請求項２】
前記制御印刷手段は、
前記修正領域の前記既存印刷情報が文字列であるときに、
前記入力手段により入力された前記修正情報としての修正文字列を前記修正領域の実寸法に合うように処理して印刷する、
ことを特徴とする請求項１に記載の修正シートの作成装置。
【請求項３】
前記制御印刷手段は、
前記入力された前記修正文字列の処理を、前記修正文字列の文字サイズ及び文字間隔を調整することにより行う、
ことを特徴とする請求項２に記載の修正シートの作成装置。
【請求項４】
前記制御印刷手段は、前記修正領域の文字列の字体を認識し、前記修正領域の文字列と同じ字体の前記修正文字列の印刷を行う、
ことを特徴とする請求項２または３に記載の修正シートの作成装置。
【請求項５】
前記制御印刷手段は、実寸法に合った前記修正領域の各辺に一致する切取り線の印刷を行う、
ことを特徴とする請求項１乃至４の何れかに記載の修正シートの作成装置。
【請求項６】
前記表示手段は、タッチパネルを備えた表示パネルを有し、
前記既存印刷情報が撮像された前記画像と、
前記修正領域と、
前記修正領域の前記既存印刷情報を前記修正情報に修正した修正済み情報と、
を表示する、
ことを特徴とする請求項１乃至５に記載の修正シートの作成装置。
【請求項７】
前記制御印刷手段は、
前記既存印刷情報が撮像された前記画像に基づいて前記既存印刷情報を前記表示手段に表示させ、
前記表示手段の画面上における前記修正領域のタッチにより、前記修正領域の実寸法を導出するとともに、前記表示手段に前記修正領域を前記既存印刷情報と重ねて表示させ、
前記入力手段から前記修正情報が入力されたときに、前記修正領域内の表示を前記修正情報に書き換える、
ことを特徴とする請求項６に記載の修正シートの作成装置。
【請求項８】
印刷物の既存印刷情報が撮像された画像を表示し、
前記既存印刷情報を修正領域で修正する修正情報を入力し、
前記既存印刷情報が撮像された前記画像と、前記既存印刷情報が撮像された際の撮像情報と、に基づいて、前記既存印刷情報の前記修正領域の実寸法を導出し、
入力された前記修正情報を前記修正領域の実寸法に合うように処理して被印刷媒体に印刷する、
ことを特徴とする修正シートの作成方法。
【発明の詳細な説明】
【技術分野】
【０００１】
本発明は、印刷物の既存印刷情報を部分的に修正するための修正シートの作成装置及びその作成方法に関する。
【背景技術】
【０００２】
文字列等の情報を印刷した印刷片を作成する装置としては、例えば特許文献１に記載されているような装置がある。
【０００３】
この装置は、テープ状の被印刷媒体に対する印刷を行うものであり、氏名等の情報を印刷したラベルの作成や、印刷物の既存印刷情報を部分的に修正するための修正シートの作成に利用されている。
【０００４】
この装置による修正シートの作成は、例えば既存印刷情報の修正個所の修正対象情報が文字列である場合、装置に対して、被印刷媒体に印刷したい修正文字列を入力するとともに、その各文字の文字サイズ（フォントサイズ）を、既存印刷情報の修正個所の修正対象文字列の文字サイズと同じサイズに設定することにより行われている。
【先行技術文献】
【特許文献】
【０００５】
【特許文献１】特開平０７−０６８８５３号公報
【発明の概要】
【発明が解決しようとする課題】
【０００６】
しかし、印刷する修正文字列の各文字のサイズを、既存印刷情報の修正個所の修正対象文字列の文字サイズと同じサイズに設定するためには、準備作業として、修正対象文字列の文字サイズを定規等を用いて測定しなければならない。この文字サイズの測定は、測定対象が小さいサイズの文字であるほど面倒である。
【０００７】
従って、特許文献１に記載されているような装置により修正シートを作成するのでは、修正対象文字列の文字サイズの測定等の面倒な準備作業を行わなければならない。
【０００８】
しかも、この装置による修正シートの作成では、被印刷媒体に印刷された修正対象文字列が、既存印刷情報の修正個所に正確に収まらないことがあり、その場合は、試し印刷を繰り返して、修正対象文字列の文字間隔等を調整しなければならない。
【０００９】
本発明は、面倒な準備作業を行うこと無く、しかも、印刷された修正対象文字列が、既存印刷情報の修正個所に正確に収まる修正シートを、１回の印刷で作成することができる、修正シートの作成装置及びその作成方法を提供することを目的としたものである。
【課題を解決するための手段】
【００１０】
前記目的を果たすため、本発明の修正シートの作成装置の一様態は、
印刷物の既存印刷情報が撮像された画像を表示する表示手段と、
前記既存印刷情報を修正領域で修正する修正情報を入力する入力手段と、
前記既存印刷情報が撮像された前記画像と、前記既存印刷情報が撮像された際の撮像情報と、に基づいて、前記既存印刷情報の前記修正領域の実寸法を導出するともに、前記入力手段から入力された前記修正情報を前記修正領域の実寸法に合うように処理して被印刷媒体に印刷する制御印刷手段と、
を備える、
ことを特徴とする。
【００１１】
また、前記目的を果たすため、本発明の修正シートの作成方法の一様態は、
印刷物の既存印刷情報が撮像された画像を表示し、
前記既存印刷情報を修正領域で修正する修正情報を入力し、
前記既存印刷情報が撮像された前記画像と、前記既存印刷情報が撮像された際の撮像情報と、に基づいて、前記既存印刷情報の前記修正領域の実寸法を導出し、
入力された前記修正情報を前記修正領域の実寸法に合うように処理して被印刷媒体に印刷する、
ことを特徴とする。
【発明の効果】
【００１２】
本発明によれば、面倒な準備作業を行うこと無く、しかも、印刷された修正対象文字列が、既存印刷情報の修正個所に正確に収まる修正シートを、１回の印刷で作成することができる。
【図面の簡単な説明】
【００１３】
【図１】本発明の一実施形態を示す修正シート作成装置の平面図。
【図２】修正シート作成装置に使用するテープカセットの斜視図。
【図３】修正シート作成装置のテープカセット収納部の斜視図。
【図４】修正シート作成装置の機能ブロック図。
【図５】修正シート作成装置における修正シート作成の基本的な動作例を示すフローチャート。
【図６】既存印刷情報の部分的修正を行う印刷物の一例である名刺を示す図。
【図７】修正シート作成装置の表示部における既存印刷情報と修正領域との表示例を示す図。
【図８】表示部における修正文字入力メッセージの表示例を示す図。
【図９】表示部における修正領域内の表示を修正情報に書き換えた修正済み情報の表示例を示す図。
【図１０】修正シート作成装置により作成した修正シートを示す図。
【図１１】修正シートを貼り付けて既存印刷情報を部分的に修正した名刺を示す図。
【発明を実施するための形態】
【００１４】
以下、本発明の一実施形態を図に基づいて説明する。図１は、本発明の一実施形態を示す修正シート作成装置１の平面図であり、図２は、修正シート作成装置１に使用するテープカセット１０の斜視図、図３は、修正シート作成装置１のテープカセット収納部５の斜視図である。
【００１５】
この修正シート作成装置１は、テープ状の被印刷媒体に対する印刷を行うものであり、修正シートの作成に限らず、被印刷媒体に氏名等の情報を印刷したラベル等の作成にも使用することができる。
【００１６】
この修正シート作成装置１は、図１に示すように、筐体２の上面に配置されたキーボード入力部３及び表示部４と、筐体２内に設けられたテープカセット収納部５と、を備えている。テープカセット収納部５は、筐体２の上面に開口しており、開閉蓋６により塞がれている。また、図示しないが，筐体２には、電源コード接続端子、外部機器接続端子、記憶媒体挿入口等が設けられている。
【００１７】
キーボード入力部３は、文字等の各種データを入力するための入力キー、表示部４に表示されたカーソルを移動操作するカーソルキー、修正シート作成モードやラベル作成モード等の各種モードの設定キー、設定モードの実行キー等を備えている。キーボード入力部３は、入力手段として機能する。
【００１８】
表示部４は、例えば液晶表示パネルからなっている。この表示部４には、修正シート作成装置１の使用者に対する操作手順のメッセージ、キーボード入力部３から入力された各種の入力情報、各種の設定のための選択メニュー、選択された設定情報、印刷イメージ等が表示される。表示部４は、表示手段として機能する。
【００１９】
さらに、表示部４の表示面には、表示面全体に亘る形状の透明なタッチパネル７が設けられている。このタッチパネル７は、ユーザによりタッチペン８等によってタッチされた位置の座標データを取得するものであり、表示部４に表示された各種情報に基づいて、任意の情報を選択するために設けられている。
【００２０】
なお、タッチパネル７は、タッチ面の押圧によって動作する抵抗型タッチパネル、タッチ面への誘電体の接触によって動作する容量型タッチパネル、タッチ面への磁場の近接により動作する磁場検出型タッチパネル、等の何れのタッチパネルでもよい。
【００２１】
この修正シート作成装置１は、被印刷媒体として、表面が印刷面とされ、裏面が粘着面とされ、この粘着面に剥離テープが貼付けられた被印刷テープを用いるものである。以下、この被印刷媒体を被印刷テープと称する。この被印刷テープは、図２に示したテープカセット１０に収められている。
【００２２】
テープカセット１０は、カセットケース１１内に、被印刷テープ１２が巻装されたテープコア１３と、インクリボン１４が巻装されたインクリボン供給コア１５と、インクリボン巻取りコア１６とを収容したものである。
【００２３】
カセットケース１１は、カセットケース１１の一側面から凹入した形状の印字ヘッド挿入部１７を有しており、インクリボン１４は、インクリボン供給コア１５から繰り出され、カセットケース１１内に配置された図示しないガイド手段により、印字ヘッド挿入部１７内のカセットケース１１側面近くの位置を通るように導かれて、インクリボン巻取りコア１６に巻付けられている。
【００２４】
また、被印刷テープ１２は、印刷面とは反対面が粘着面とされ、粘着面に剥離テープが貼付けられた紙または樹脂テープであり、インクリボン１４と同じ幅を有している。この被印刷テープ１２は、テープコア１３から繰り出され、ガイド手段により、印字ヘッド挿入部１７を、印刷面をインクリボン１４の外面に対向させて通るように導かれ、カセットケース１１に設けられた図示しないテープ出口から突き出している。
【００２５】
一方、筐体２のテープカセット収納部５には、テープカセット１０を所定の位置に支持するための複数のカセット受け部２０と、テープカセット１０の被印刷テープ１２に対する印刷を行う印刷手段２１と、が設けられている。
【００２６】
印刷手段２１は、印字ヘッド２２と、プラテンローラ２３と、テープカセット１０のテープコア１３と係合するテープコア係合軸２４と、テープカセット１０のインクリボン巻取りコア１６と係合するインクリボン巻取り駆動軸２５と、を備えている。
【００２７】
カセット受け部２０は、カセットケース２１の複数の角部に形成された係合部１８に対応させて設けられており、テープカセット１０は、被印刷テープ１２とインクリボン１４の印字ヘッド挿入部１７内に露出している部分とを印字ヘッド２２とプラテンローラ２３との間に挿入するとともに、テープコア１３とインクリボン巻取りコア１６とをテープコア係合軸２４とインクリボン巻取り駆動軸２５とにそれぞれ係合させて、各係合部１８をカセット受け部２０に係合させて、テープカセット収納部５内の所定の位置にセットされる
印字ヘッド２２は、テープカセット１０の印字ヘッド挿入部１７に入り込む位置に配置されており、印刷開始時に、インクリボン１４に押し付けられる。また、プラテンローラ２３は、印字ヘッド２２の印字面に対向させて配置されており、印字ヘッド２２との間に挟み込まれたインクリボン１４と被印刷テープ１２とを、被印刷テープ１２の長手方向に一定ピッチで間欠的に送り駆動する。プラテンローラ２３は、図４に示したステッピングモータ３８により一定ピッチで間欠的に回転駆動され、インクリボン巻取り駆動軸２５は、ステップモータ３８を駆動原として、プラテンローラ２３のテープ送りに同調させて回転駆動される。
【００２８】
この実施形態において、インクリボン１４は、熱転写型のインクリボンであり、印字ヘッド２２は、所定数のドット状発熱素子が、縦方向、つまりインクリボン１４及び被印刷テープ１２の幅方向に沿って一列に配列したサーマルヘッドである。印字ヘッド２２は、図４に示した印字ヘッド駆動回路３７により、間欠送りされるインクリボン１４及び被印刷テープ１２の停止タイミングに合わせて、発熱素子列のうちの印字ヘッド２２に供給された印刷データに対応した発熱素子を駆動され、インクリボン１４のインクを被印刷テープ１２に転写する。
【００２９】
また、印刷手段２１は、印刷の進行に伴ってテープカセット１０から送り出されてくる印刷済みの被印刷テープ１２を筐体２外に排出するためのテープ排出部２６と、被印刷テープ１２の印刷済み部分、つまり作成された印刷片（修正シートまたはラベル等）を被印刷テープ１２から切り離す切断手段としてのフルカット機構２７とハーフカット機構２８とを備えている。フルカット機構２７とハーフカット機構２８とは、テープ排出部２６に配置されており、何れか一方を選択され、図４に示したテープカットモータ４０により駆動される。
【００３０】
フルカット機構２７は、被印刷テープ１２を剥離テープとともに切断するカット機構である。このフルカット機構２７を選択した場合、作成された印刷片は、剥離テープ付きの印刷片として排出される。また、ハーフカット機構２８は、被印刷テープ１２を、剥離テープを残して切断するカット機構である。このハーフカット機構２８を選択した場合、印刷片は、筐体２内のテープカセット１０に繋がったままの剥離テープから剥ぎ取って取り出されるか、或いは、適当な時期にフルカット機構２７を作動させて剥離テープを切断することにより、剥離テープ付きの印刷片として取り出される。
【００３１】
一方、テープカセット１０には、被印刷テープ１２及びインクリボン１４の幅が異なる複数種類のものがあり、作成したい印刷片のサイズに応じて、そのサイズに合ったテープ幅のテープカセットがテープカセット収納部５にセットされる。
【００３２】
そのため、この実施形態では、印字ヘッド２２として、各種のテープ幅のうちの最も広いテープ幅に対応した印刷幅（発熱素子の配列長）のものを用い、テープカセット収納部５にセットされたテープカセット１０のテープ幅に応じて、印字ヘッド２２の発熱素子列のうちの、被印刷テープ１２の幅に対応した有効範囲の各発熱素子を駆動するようにしている。
【００３３】
さらに、この実施形態ではカセットケース２１に設けられた係合部１８のカセット受け部２０と係合する面に、テープカセット１０の種類毎に異なる識別用の凹凸部（図示せず）を形成し、テープカセット収納部５のカセット受け部２０に、係合部１８の凹凸部の形状を検知するテープ幅検出スイッチ２９を設けることにより、テープカセット１０の種類、つまり被印刷テープ１２のテープ幅を自動的に判別し、印字ヘッド２２の有効範囲を設定できるようにしている。
【００３４】
図４は、修正シート作成装置１の機能ブロック図であり、この修正シート作成装置１は、被印刷テープ１２に対する印刷手段２１と、システム全体を司る制御手段としての制御部３０を備えている。制御手段に印刷手段を加えたものを制御印刷手段と称呼する。
【００３５】
制御部３０には、記憶手段としてのＲＯＭ３２及びＲＡＭ３３と、メイン入力部であるキーボード入力部３と、表示部４と、が接続されている。さらに、制御部３０には、表示部４を駆動させる表示部駆動回路３５と、タッチパネル７を駆動させるタッチパネル駆動回路３６と、が接続されている。
【００３６】
表示部駆動回路３５は、制御部３０からの指令により、キーボード入力部３からの入力に関する情報や、各種の設定のための選択メニュー、各種の処理に関するメッセージ等を表示部４に表示させる。
【００３７】
また、タッチパネル駆動回路３６は、制御部３０からの指令により、タッチパネル７を駆動させる。
【００３８】
さらに、制御部３０には、テープ幅検出スイッチ２９と、印刷手段２１の印字ヘッド２２を駆動する印字ヘッド駆動回路３７と、ステッピングモータ３８を駆動するモータ駆動回路３９と、フルカット機構２７及びハーフカット機構２８のテープカットモータ４０を駆動するカットモータ駆動回路４１と、が接続されている。
【００３９】
なお、テープカットモータ４０は、フルカット機構２７とハーフカット機構２８とを駆動する共用モータであり、フルカット機構２７，ハーフカット機構２８のうちの一方に対して係合及び他方に対して切り離し可能に設けられ、これらのフルカット機構２７，ハーフカット機構２８のうちの選択されたカット機構を駆動する。
【００４０】
ＲＯＭ３２には、システムプログラム、ＪＩＳコードで定められた各種の文字等のパターンデータ、入力データの処理プログラム、表示プログラム、印刷プログラム等が予め登録されている。
【００４１】
制御部３０は、ＣＰＵであり、キーボード入力部３及びタッチパネル７からの入力に応じて、ＲＯＭ３３に記憶されているシステムプログラム等を起動させ、ＲＡＭ３２をワークメモリとして、各回路の動作を制御する。
【００４２】
また、この制御部３０は、修正シート作成装置１の記憶媒体挿入口に挿入されたメモリカード等の記憶媒体、または外部機器接続端子に接続されたパーソナルコンピュータ等の外部機器から読み込んだ制御プログラム等を起動させ、ＲＡＭ３２をワークメモリとして各回路の動作を制御する機能を有している。
【００４３】
ＲＡＭ３２は、キーボード入力部３及びタッチパネル７からの入力データ、表示データ、印刷データ、制御部３０によりＲＯＭ３２から読み込まれた文字等のパターンデータ、表示データ、印刷データ等を一時的に記憶する。
【００４４】
次に、修正シートの作成について説明する。この修正シート作成装置１に修正シートの作成を行わせるとき、ユーザは、準備作業として、印刷物の既存印刷情報を、デジタルカメラにより撮像する。なお、デジタルカメラは、例えば携帯電話機やスマートフォン等の機器に搭載されたものでもよい。
【００４５】
デジタルカメラによる既存印刷情報の撮像は、デジタルカメラを修正シート作成装置１の外部機器接続端子に接続した状態で行っても、デジタルカメラを修正シート作成装置１に接続していない状態で行ってもよい。後者の撮像を行う場合は、デジタルカメラを、既存印刷情報の撮像データを外部に出力するようにセットして修正シート作成装置１に接続する、又は、既存印刷情報の撮像データを記憶させたメモリカード等の記憶媒体を、デジタルカメラから取り出して、修正シート作成装置１の記憶媒体挿入口に挿入する。
【００４６】
この撮像データには、印刷物の既存印刷情報が撮像された画像が含まれる。また、この撮像データには、印刷物の既存印刷情報が撮像された際の撮像情報が含まれる。撮像情報にはデジタルカメラから被写体までの距離やデジタルカメラの画角等の情報が含まれ、これらの情報に基づくと撮像された画像の所定の領域の実空間におけるサイズが導出され得る。
【００４７】
このような準備作業は、比較的短時間で容易に行うことができる。また、修正シート作成装置１に修正シートの作成を行わせるときは、キーボード入力部３の設定キーにより、修正シート作成モードを設定し、準備作業を終了した後に、実行キーにより、修正シート作成装置１に修正シートの作成を開始させる。
【００４８】
以下、この修正シート作成装置１の修正シートを作成するときの動作を、既存印刷情報の部分的修正を行う印刷物が名刺１００であるときを例にとって説明する。図５は、この修正シート作成装置１における修正シート作成の基本的な動作例を示すフローチャート、図６は、既存印刷情報の部分的修正を行う名刺１００を示す図である。
【００４９】
制御部３０は、図５のように、まず修正対象印刷物である図６に示した名刺１００の既存印刷情報１０１の撮像データを取り込み（Ｓ１）、取り込んだ撮像データに基づいて、名刺１００の既存印刷情報１０１の画像を表示部４に表示（Ｓ２）させる。
【００５０】
なお、図４には、デジタルカメラ５０からの撮像データの取り込みを示したが、制御部３０は、修正シート作成装置１に撮像データを記憶させたメモリカード等の記憶媒体が挿入されたときは、その記憶媒体から撮像データを取り込む。
【００５１】
制御部３０は、例えばＥｘｉｆといった撮像データの撮像情報を読み込む。この撮像情報には、例えば画像の撮像に用いられた画角を表すレンズの焦点距離や、被写体までの距離を表す撮像時のフォーカス位置の情報が含まれる。制御部３０は、読み込んだ撮像情報に基づいて、名刺１００の所定の領域のサイズを導出する。撮像情報に含まれるレンズの焦点距離、すなわち撮像時の画角と、フォーカス位置、すなわち撮像時のカメラから被写体までの距離が特定されれば、画像におけるサイズ（ピクセル数）と被写体における実際のサイズとの関係が特定される。したがって、画像における名刺１００の所定の領域に対応する実空間における所定の領域のサイズが導出され得る。制御部３０は、実空間における所定の領域のサイズを導出する。すなわち、制御部３０は、名刺１００の所定の領域の長さ及び幅を算出する。制御部３０は、入力された文字数と所定の領域の実寸法とに基づいて、被印刷部材に印刷する文字のサイズを導出する。制御部３０は、サイズが導出された被印刷部材に入力された文字が収まるような文字サイズを決定する。
【００５２】
図７は、表示部４における既存印刷情報１０１と修正領域１２０との表示例を示す図であり、既存印刷情報１０１の画像は、ユーザに修正対象文字を指定させるメッセ−ジ、例えば「修正する文字を順にタッチしてください。」のメッセ−ジ１１１とともに表示させる。
【００５３】
なお、図７は、表示部４に名刺１００の全体画像を表示させた例を示したが、表示部４に表示させる既存印刷情報は、図７の画像を拡大した画像でもよい。その場合、表示される既存印刷情報の画像は、名刺１００の部分画像である。
【００５４】
そして、ユーザが、表示部４の画面上における修正対象情報、つまり修正対象文字列１０２の各文字を順にタッチペン８によりタッチすると、制御部３０は、表示部４の画面のタッチ座標に基づいて、修正個所を特定するとともに、その修正個所の文字列、つまり修正対象文字列１０２の各文字の字体（フォント）と文字サイズ（フォントサイズ）とを認識し、その字体と文字サイズとをＲＡＭ３３に記憶させる。
【００５５】
さらに、制御部３０は、取り込んだ撮像データに基づいて、修正個所の実寸法、すなわち実物の名刺１００における寸法を導出し、修正個所を、修正個所の修正対象情報を囲む矩形形状の外形の修正領域１２０としてＲＡＭ３３に登録するとともに、図７のように、修正領域１２０を、表示部４に、既存印刷情報１０１の修正個所に重ねて表示（Ｓ６）させる。この修正領域１２０は、ユーザが視認しやすいように、着色、網掛け、白黒反転等により表示する。
【００５６】
ここで、表示部４の画面のタッチパネル７へのタッチが続けて行われ、修正個所がさらに大きく選択されたときは、修正個所の実寸法の判定と、認識した修正領域１２０の表示と、を繰り返し、ＲＡＭ３３に登録した修正領域１２０のデータを書き直すとともに、修正領域１２０の表示サイズを広げて行く。そして、表示部４の画面のタッチパネル７へのタッチが所定の時間（例えば５〜１０秒程度）以上行われないときに、修正領域１２０の登録終了と見なし、そのときの修正領域１２０のデータ及び表示を保持する。この時点で選択された修正対象文字列１０２は、例えば図７に示したように、「第１２３」の４文字の文字列である。
【００５７】
そして、制御部３０は、表示部４の画面のタッチパネル７へのタッチが所定の時間以上行われないときに、修正領域１２０が登録済みか否かを判断（Ｓ７）し、登録済みであるときに、表示部４に、ユーザに修正テープに印刷する修正文字の入力を行わせる修正文字入力メッセ−ジ１１２を表示（Ｓ８）させるとともに、表示部４の画面中に、入力された修正情報表示領域７０を確保する。
【００５８】
図８は、表示部４における修正文字入力メッセージ１１２の表示例を示す図であり、表示部４における修正文字の表示例を示す図であり、この例では、「修正テープに印刷する文字を入力してください。」の修正文字入力メッセージ１１２を表示させている。
【００５９】
また、入力された修正情報表示領域７０は、図８に示したように、例えば表示部４の画面の下部分に、修正情報表示領域７０を示す枠７０ａを表示し、この枠７０ａ内の既存印刷情報１０１の画像を消去することにより確保する。
【００６０】
なお、表示部４に表示されている修正領域１２０が、修正情報表示領域７０を確保する個所にあるときは、既存印刷情報１０１の画像を自動的に画面の上方にシフトし、修正情報表示領域７０と修正領域１２０との両方を視認できるようにする。ここで、文字認識した、修正対象文字列１０２を予め修正情報表示領域７０に表示しておいてもよい。このようにすることで、ユーザの入力の手間を省くことができる。
【００６１】
そして、ユーザにより、修正文字がキーボード入力部３から入力されると、制御部３０は、入力された各文字からなる修正情報としての修正文字列２１０を、デフォルト情報として、表示部４の修正情報表示領域７０に表示させる。なお、修正情報表示領域７０に表示させる修正文字列２１０は、認識しやすいサイズに拡大して表示させる。
【００６２】
さらに、制御部３０は、修正文字列２１０を、その各文字のサイズ及び文字間隔を調整（Ｓ９）することにより、この修正文字列２１０が修正個所の実寸法に合うように処理し、表示部４に、既存印刷情報１０１の修正領域１２０内の表示を処理後の修正文字列２１０に書き換えた修正済み情報１０１ａを表示させる。
【００６３】
このとき、修正文字列２１０の各文字の字体を、ＲＡＭ３３に記憶させておいた字体（修正対象文字列１０２の各文字の字体）と同じにして、修正文字列２１０の各文字のサイズを、ＲＡＭ３３に記憶させておいた文字サイズ（修正対象文字列１０２の各文字のサイズ）と同じか、それに近い文字サイズに設定する。
【００６４】
図９は、表示部４における修正領域１２０内の表示を修正文字列２１０に書き換えた修正済み情報１０１ａの表示例を示す図である。なお、図９に示した修正文字列２１０は、「第２３４」の４文字の文字列であり、図７に示した修正対象文字列１０２の文字数と同じである。
【００６５】
従って、修正文字列２１０の処理において、修正文字列２１０の各文字のサイズを、ＲＡＭ３３に記憶させておいた文字サイズ（修正対象文字列１０２の各文字のサイズ）と同じにし、文字間隔を調整することにより、修正文字列２１０を、修正個所の実寸法に合わせることができる。
【００６６】
但し、修正文字列２１０の文字数が図７に示した修正対象文字列１０２の文字数と異なり、しかも、文字間隔の調整だけでは修正文字列２１０を修正個所の実寸法に合わせられないときは、文字サイズを、修正領域１２０内の表示を処理後の修正文字列２１０に書き換えた修正済み情報１０１ａが違和感無く見える範囲で変更する。
【００６７】
この後は、図５のように、修正文字列２１０の文字サイズ及び文字間隔の調整が適正か否か、つまり、文字サイズ及び文字間隔を調整した修正対象文字列１０２が、既存印刷情報１０１の修正個所に正確に収まるか否かを判断（Ｓ１０）する。
【００６８】
そして、調整が適正でなければ、表示部４の修正情報表示領域７０に「調整エラー」を表示して、図５の（Ｓ８）以降の動作を繰り返し、調整が適正であれば、印刷手段２１に、被印刷テープ１２に対する修正文字列２１０の印刷（Ｓ１２）を行わせる。このとき、制御部３０は、印刷手段２１に、修正文字列２１０と、修正領域１２０の各辺に一致する切取り線２２０ａ，２２０ｂ（図１０参照）の印刷を行わせる、
図１０は、上記のようにして作成された修正シート２０１ａ，２０１ｂを示す図であり、図１０（ａ）の修正シート２０１ａは、修正文字列２１０と、修正領域１２０の４つの辺に一致する矩形枠形状の切取り線２２０ａと、を修正文字列２１０が被印刷テープ１２の中央に位置するように印刷したものである。
【００６９】
図１０（ｂ）の修正シート２０１ａは、修正文字列２１０と、修正領域１２０の１つの長辺と２つの短辺とに一致する３つの辺からなる切取り線２２０ｂと、を被印刷テープ１２に対して、２つの短辺の長辺と繋がる側とは反対側の端が被印刷テープ１２の一方の縁に一致するように幅寄せして印刷したものである。
【００７０】
図１０（ａ）の修正シート２０１ａも、図１０（ｂ）の修正シート２０１ｂも、切取り線２２０ａ，２２０ｂに沿って切断することにより、修正領域１２０と同じ形状及びサイズのシート２０２とされ、実物の名刺１００に対して、既存印刷情報１０１の修正個所にぴったり収まるように位置合わせして貼り付けられる。
【００７１】
図１１は、修正シートを貼り付けて既存印刷情報を部分的に修正した名刺１００ａを示す図であり、この図１１のように、上記修正シート作成装置１により作成した修正シート２０１ａ，２０１ｂは、既存印刷情報１０１の修正個所の実寸法に合ったサイズの修正文字列２１０を印刷したものであるため、切取り線２２０に沿って切断して修正個所に正確に収まるように貼り付けることにより、既存印刷情報１０１の修正個所を、修正痕跡が目立たないように綺麗に修正することができる。
【００７２】
但し、修正シート２０１ａ，２０１ｂを切取り線２２０に沿って切断する場合、図１０（ａ）の修正シート２０１ａよりも、切断個所が少ない図１０（ｂ）の２０１ｂの方が、作業性良く短時間で切断することができる。
【００７３】
なお、上記実施形態では、修正シートを作成するときの動作を、既存印刷情報の部分的修正を行う印刷物が名刺であるときを例にとって説明したが、上記修正シート作成装置１は、名刺に限らず、例えば社名入り封筒、文書ファイル、会社の部署名プレート等の種々の印刷物の既存印刷情報を部分的に修正するための修正シートの作成に利用することができる。
【００７４】
また、印刷物には、着色された面上に、他の色の情報を印刷したものがあるが、これらの色と同じ被印刷テープとインクとを収容したテープカセットを使用することにより、様々な色の印刷物に合った修正シートを作成することができる。
【００７５】
上記修正シート作成装置１は、
前記既存印刷情報が撮像された画像を表示する表示手段（表示部４）と、
修正情報を入力する入力手段（キーボード入力部３）と、
前記既存印刷情報が撮像された前記画像と、前記既存印刷情報が撮像された際の撮像情報と、に基づいて、前記既存印刷情報の修正個所の実寸法を導出するともに、前記入力手段から入力された前記修正情報を、当該修正個所の実寸法に合うように処理する制御手段（制御部３０）と、
前記修正個所の実寸法に合ったサイズの前記修正情報の印刷を、被印刷媒体（被印刷テープ１２）に対して行う印刷手段２１と、
を備えるため、
面倒な準備作業を行うこと無く、しかも、印刷された修正文字列２１０が、既存印刷情報の修正個所に正確に収まる修正シートを、１回の印刷で作成することができる。
【００７６】
また、上記修正シート作成装置１を利用した修正シートの作成方法は、
上記修正シートの作成方法において、
前記既存印刷情報が撮像された画像を表示し、
前記既存印刷情報が撮像された前記画像と、前記既存印刷情報が撮像された際の撮像情報と、に基づいて、前記既存印刷情報の修正個所の実寸法を導出し、
入力された修正情報を、前記修正個所の実寸法に合わせて処理し、
前記修正個所の実寸法に合ったサイズの前記修正情報を、被印刷媒体（被印刷テープ１２）に対して印刷するため、
印刷された修正文字列２１０が、既存印刷情報の修正個所に正確に収まる修正シートを、１回の印刷で作成することができる。
【００７７】
なお、上記実施形態の修正シート作成装置１は、テープ状の被印刷媒体（被印刷テープ１２）に対して修正情報を印刷するものであるが、本発明は、他の被印刷媒体に対して修正情報を印刷する修正シート作成装置にも適用することができる。
【００７８】
また、上記実施形態の修正シート作成装置１は、キーボード入力部３を備えたものであるが、キーボード入力部３に代えて、殆んどの入力を、タッチパネル７から行わせるようにしてもよい。この場合、タッチパネル７は入力部として機能する。
【００７９】
さらに、本発明は、上記いくつかの実施形態に限らず、特許請求の範囲に記載された発明とその均等の範囲に含まれる。以下に、本願出願の当初の特許請求の範囲に記載された発明を付記する。
【００８０】
［１］
印刷物の既存印刷情報が撮像された画像を表示する表示手段と、
前記既存印刷情報を修正領域で修正する修正情報を入力する入力手段と、
前記既存印刷情報が撮像された前記画像と、前記既存印刷情報が撮像された際の撮像情報と、に基づいて、前記既存印刷情報の前記修正領域の実寸法を導出するともに、前記入力手段から入力された前記修正情報を前記修正領域の実寸法に合うように処理して被印刷媒体に印刷する制御印刷手段と、
を備える、
ことを特徴とする修正シートの作成装置。
【００８１】
［２］
前記制御印刷手段は、
前記修正領域の前記既存印刷情報が文字列であるときに、
前記入力手段により入力された前記修正情報としての修正文字列を前記修正領域の実寸法に合うように処理して印刷する、
ことを特徴とする［１］に記載の修正シートの作成装置。
【００８２】
［３］
前記制御印刷手段は、
前記入力された前記修正文字列の処理を、前記修正文字列の文字サイズ及び文字間隔を調整することにより行う、
ことを特徴とする［２］に記載の修正シートの作成装置。
【００８３】
［４］
前記制御印刷手段は、前記修正領域の文字列の字体を認識し、前記修正領域の文字列と同じ字体の前記修正文字列の印刷を行う、
ことを特徴とする［２］または［３］に記載の修正シートの作成装置。
【００８４】
［５］
前記制御印刷手段は、実寸法に合った前記修正領域の各辺に一致する切取り線の印刷を行う、
ことを特徴とする［１］乃至［４］の何れかに記載の修正シートの作成装置。
【００８５】
［６］
前記表示手段は、タッチパネルを備えた表示パネルを有し、
前記既存印刷情報が撮像された前記画像と、
前記修正領域と、
前記修正領域の前記既存印刷情報を前記修正情報に修正した修正済み情報と、
を表示する、
ことを特徴とする［１］乃至［５］に記載の修正シートの作成装置。
【００８６】
［７］
前記制御印刷手段は、
前記既存印刷情報が撮像された前記画像に基づいて前記既存印刷情報を前記表示手段に表示させ、
前記表示手段の画面上における前記修正領域のタッチにより、前記修正領域の実寸法を導出するとともに、前記表示手段に前記修正領域を前記既存印刷情報と重ねて表示させ、
前記入力手段から前記修正情報が入力されたときに、前記修正領域内の表示を前記修正情報に書き換える、
ことを特徴とする［６］に記載の修正シートの作成装置。
【００８７】
［８］
印刷物の既存印刷情報が撮像された画像を表示し、
前記既存印刷情報を修正領域で修正する修正情報を入力し、
前記既存印刷情報が撮像された前記画像と、前記既存印刷情報が撮像された際の撮像情報と、に基づいて、前記既存印刷情報の前記修正領域の実寸法を導出し、
入力された前記修正情報を前記修正領域の実寸法に合うように処理して被印刷媒体に印刷する、
ことを特徴とする修正シートの作成方法。
【符号の説明】
【００８８】
１…修正シート作成装置
４…表示部
７…タッチパネル
１２…被印刷媒体（被印刷テープ）
２１…印刷手段
３０…制御手段（制御部）
５０…デジタルカメラ
１００…印刷物（名刺）
１０１…既存印刷情報
１０１ａ…修正済み情報
１０２…修正対象情報（修正対象文字列）
１２０…修正領域
２０１ａ，２０１ｂ…修正シート
２１０…修正情報（修正文字列）
２２０ａ，２２０ｂ…切取り線
【図１】
2015060540.tif 000003
【図２】
2015060540.tif 000004
【図３】
2015060540.tif 000005
【図４】
2015060540.tif 000006
【図５】
2015060540.tif 000007
【図６】
2015060540.tif 000008
【図７】
2015060540.tif 000009
【図８】
2015060540.tif 000010
【図９】
2015060540.tif 000011
【図１０】
2015060540.tif 000012
【図１１】
2015060540.tif 000013